(57)【要約】      （修正有）【課題】高さ方向の大型化を防ぎ、被写体像と共に観察される表示素子に形成された映像の視野角を大きくできるファインダー系及びそれを用いた光学機器を提供する。【解決手段】対物光学系１によって所定面上に形成した被写体像を、正立像形成部材４によって正立像とし、光軸に対して傾斜した第１の光学面６ｃを透過させて接眼レンズ８を介して観察する観察光学系と、表示体９の表示情報を、前記第１の光学面で反射させて前記接眼レンズを介して前記被写体像と同一視野で観察する表示光学系と、を有するファインダー系であって、前記表示光学系は、前記表示体と前記接眼レンズとの間の光路に沿って順に、内部に２つ以上の反射面を備える光学部材、１つ以上のレンズを備えて正の屈折力を有するレンズ群を有する。【選択図】図１
2016035525.tif 000002
【特許請求の範囲】
【請求項１】
対物光学系によって所定面上に形成した被写体像を、正立像形成部材によって正立像とし、光軸に対して傾斜した第１の光学面を透過させて接眼レンズを介して観察する観察光学系と、
表示体の表示情報を、前記第１の光学面で反射させて前記接眼レンズを介して前記被写体像と同一視野で観察する表示光学系と、
を有するファインダー系であって、
前記表示光学系は、前記表示体と前記接眼レンズとの間の光路に沿って順に、内部に２つ以上の反射面を備える光学部材、１つ以上のレンズを備えて正の屈折力を有するレンズ群を有することを特徴とするファインダー系。
【請求項２】
前記表示光学系における前記光学部材と前記第１の光学面との間の光路に前記光軸に対して傾斜した第２の光学面を有し、
前記観察光学系は前記第１の光学面および前記第２の光学面を透過させて前記被写体像を観察し、
前記表示光学系は前記第２の光学面および前記第１の光学面で反射させて前記表示体の表示情報を観察することを特徴とする請求項１に記載のファインダー系。
【請求項３】
前記光学部材における前記反射面の少なくとも１つは、全反射面であることを特徴とする請求項１または２に記載のファインダー系。
【請求項４】
前記表示光学系における前記第２の光学面は、全反射面であることを特徴とする請求項２に記載のファインダー系。
【請求項５】
前記レンズ群は、前記光学部材と前記第２の光学面との間の光路に設けられることを特徴とする請求項２に記載のファインダー系。
【請求項６】
前記レンズ群の焦点距離をｆ１、前記接眼レンズの−１ディオプター時の焦点距離をｆとするとき、
０．３  ＜  ｆ１／ｆ  ＜  １．０
なる条件式を満たすことを特徴とする請求項１乃至５のいずれか1項に記載のファインダー系。
【請求項７】
前記表示体の対角長をＬ１、観察面における前記表示体の対角長をＬとするとき、
１．２  ＜  （ｆ１／ｆ）×（Ｌ／Ｌ１）  ＜  １．５
なる条件式を満たすことを特徴とする請求項６に記載のファインダー系。
【請求項８】
前記表示体の法線と前記レンズ群の中心軸の成す角度をθとするとき、
４０°  ＜  θ  ＜  ７５°
なる条件式を満たすことを特徴とする請求項６または７に記載のファインダー系。
【請求項９】
前記光学部材の少なくとも１つ以上の反射面は、回転非対称非球面であることを特徴とする請求項１乃至８のいずれか1項に記載のファインダー系。
【請求項１０】
前記正立像形成部材を介して前記観察光学系の前記光軸に一致する光路を含む面に対し、
前記表示光学系の前記レンズ群の光軸に一致し前記第１の光学面で反射される光路を含む面は異なる面であることを特徴とする請求項１乃至９のいずれか1項に記載のファインダー系。
【請求項１１】
対物光学系と、請求項1乃至１０のいずれか1項に記載のファインダー系と、を有することを特徴とする光学機器。
【請求項１２】
回転可動な反射ミラーと、撮像素子と、表示体と、を有し、
前記反射ミラーが前記対物光学系の光軸上に存在するときは、前記表示体は撮影に関する情報を表示し、前記反射ミラーが前記対物光学系の光軸から退避したときは、前記表示体は前記撮像素子からの映像を表示することを特徴とする請求項１１に記載の光学機器。
【発明の詳細な説明】
【技術分野】
【０００１】
本発明は、ファインダー系及びそれを用いた光学機器に関し、特に焦点板上に形成された被写体像と表示素子に形成された映像を、共通の接眼手段を介して観察することができるようにした写真用カメラ、ビデオカメラ等に好適なものである。
【背景技術】
【０００２】
従来より、共通の接眼手段を介して光学ファインダーに表示素子の映像を重畳して表示したり、切り替えたりすることが出来るカメラが提案されている。例えば、特許文献１では、ペンタプリズムと接眼光学系の間の光学面にハーフミラーもしくはダイクロミラーが蒸着されており、焦点板上に形成された被写体像に測距点枠を重畳させて観察するファインダーが開示されている。また、特許文献２では、ペンタプリズムの被写体側面から光路合成部材を用いて表示素子の表示を重畳させて観察するファインダーが開示されている。
【先行技術文献】
【特許文献】
【０００３】
【特許文献１】特許４１５４０２２号公報
【特許文献２】特開２００７−２６４０２９号公報
【発明の概要】
【発明が解決しようとする課題】
【０００４】
しかしながら、上述の特許文献１に開示された従来技術では、表示系はファインダー視野よりも視野角が半分程度の測距点枠を表示すること想定されている。仮に表示系の視野角をファインダー視野の８割程度まで大きくすると、表示系が高さ方向に１０ｍｍ以上大型化する。
【０００５】
さらに、特許文献２に開示された従来技術では、パネルが接眼枠から遠いため、表示素子の映像が小さく見える。さらに、被写体方向にカメラが大型化するため、大口径の撮影レンズを装着することが出来ないなどの問題が発生する。
【０００６】
本発明の目的は、高さ方向の大型化を防ぎ、被写体像と共に観察される表示素子に形成された映像の視野角を大きくできるファインダー系及びそれを用いた光学機器を提供することにある。
【課題を解決するための手段】
【０００７】
上記目的を達成するため、本発明に係るファインダー系は、対物光学系によって所定面上に形成した被写体像を、正立像形成部材によって正立像とし、光軸に対して傾斜した第１の光学面を透過させて接眼レンズを介して観察する観察光学系と、表示体の表示情報を、前記第１の光学面で反射させて前記接眼レンズを介して前記被写体像と同一視野で観察する表示光学系と、を有するファインダー系であって、前記表示光学系は、前記表示体と前記接眼レンズとの間の光路に沿って順に、内部に２つ以上の反射面を備える光学部材、１つ以上のレンズを備えて正の屈折力を有するレンズ群を有することを特徴とする。 
【０００８】
また、本発明に係る光学機器は、上記ファインダー系を有することを特徴とする。
【発明の効果】
【０００９】
本発明によれば、高さ方向の大型化を防ぎ、被写体像と共に観察される表示素子に形成された映像の視野角を大きくできるファインダー系及びそれを用いた光学機器を提供することができる。
【図面の簡単な説明】
【００１０】
【図１】本発明の数値実施例１に係るファインダー光学系の構成を示す断面図である。
【図２】本発明の数値実施例１に係る表示光学系の光軸に平行な断面図である。
【図３】本発明の実施例に係るファインダーの表示例である。
【図４】本発明の数値実施例１に係るファインダー光学系のミラーアップ時の構成を示す断面図である。
【図５】本発明の数値実施例１に係る観察光学系および表示光学系の光軸に沿った展開図である。
【図６】本発明の数値実施例２に係るファインダー光学系の構成を示す断面図である。
【図７】本発明の数値実施例２に係る表示光学系の光軸に平行な断面図である。
【図８】本発明の数値実施例２に係るファインダー光学系のミラーアップ時の構成を示す断面図である。
【図９】本発明の数値実施例２に係る観察光学系および表示光学系の光軸に沿った展開図である。
【図１０】本発明の数値実施例３に係るファインダー光学系の構成を示す断面図である。
【図１１】本発明の数値実施例３に係る表示光学系の光軸に平行な断面図である。
【図１２】本発明の数値実施例３に係るファインダー光学系のミラーアップ時の構成を示す断面図である。
【図１３】本発明の数値実施例３に係る観察光学系および表示光学系の光軸に沿った展開図である。
【図１４】本発明の数値実施例４に係るファインダー光学系の構成を示す断面図である。
【図１５】本発明の数値実施例４に係るファインダー光学系のミラーアップ時の構成を示す断面図である。
【図１６】本発明の数値実施例４に係る観察光学系および表示光学系の光軸に沿った展開図である。
【発明を実施するための形態】
【００１１】
以下、本発明の好ましい実施の形態を図面を用いて説明する。
【００１２】
《第１の実施形態》
（光学機器およびファインダー系）
図１は、本発明の実施形態に係るファインダー系を搭載した光学機器としての一眼レフレックスカメラの概略断面図である。図１は、可動ミラー２が光軸上（Ｆａ）に存在する状態を示している。対物光学系としての撮影レンズ（対物レンズ）１、可動ミラー２を介し、焦点板３の所定面上（拡散面上）に形成された被写体像に基づく光束は、正立像形成部材４を通り、プリズム５、６、７と、接眼光学系としての接眼レンズ８を通って観察者の目に至る。以上が、ファインダー系における観察光学系を構成する。
【００１３】
一方、撮影に関する情報を表示情報とする表示体９からの光は、光学部材１０、１つ以上のレンズを備え正の屈折力を有するレンズ群としての第一レンズ群１１を通って、プリズム６の入射面である光学面６ａを通る。その後、観察光学系の光軸Ｆａに対してそれぞれ異なる方向に傾斜した２つの光学面６ｂ（第２の光学面）、６ｃ（第１の光学面）の順に反射し、光学面６ｂを透過して、接眼レンズ８を通って観察者の目に至り、被写体像と同一視野で観察できる。以上が、ファインダー系における表示光学系を構成する。
【００１４】
ここで、図４にファインダー光学系のミラーアップ時を示す。回転可動な反射ミラーである可動ミラー２を撮影光軸から退避（ミラーアップ）させて、撮影レンズ１による被写体像を撮像素子１２に結像させる。そして、撮像素子１２からの映像を信号処理装置１３を介して表示体９にライブビュー表示する。なお、ファインダー系の接眼手段の下方にカメラ本体外部に位置するモニタＭを設け、撮像素子１２による情報を外部表示することもできる。
【００１５】
表示体９にライブビュー表示された映像は、表示光学系１１によって拡大され、プリズム６、７、接眼レンズ８を通って観察者の目に至る。さらに、ミラーアップ後に撮影した画像の閲覧やメニュー表示を、表示体９を介して行うことも可能である。このように、本実施形態に係るファインダー系を搭載した光学機器としてのカメラは、焦点板１に形成された被写体像の他に、ライブビュー表示における被写体映像、撮影後の画像、各種メニュー表示を同じ接眼レンズを通して観察することが可能である。
【００１６】
ここで、図５（ａ）に観察光学系の光軸Ｆａに沿った展開図、図５（ｂ）に表示光学系の光軸Ｆｂに沿った展開図を示す。表示光学系に関しては、以下、図２に具体的構成を示す。図２は、表示体９から光学部材１０、第一レンズ群１１、プリズム６の光学面６ａ、６ｂに至るまでの表示光学系の光軸Ｆｂに一致する光路を含む断面図である。光学部材１０は、内部に２つの反射面を持っており、表示体９から順に１回目の反射面は全反射面、２回目の反射面はミラー蒸着による反射面である。これによって、表示体９の高さ位置を低く抑え、ファインダー系が高さ方向に大型化するのを防ぐことが出来る。
【００１７】
ここで、観察光学系の光軸Ｆａと表示光学系の光軸Ｆｂは全て同一の平面には含まれていない。具体的には、図１において、表示体９、光学部材１０は紙面に対して奥行き方向に配置されている。このことによって、表示体９と図示されていないカメラの他部品、例えばアクセサリーシューが干渉して、カメラが高さ方向に大型化することを防いでいる。
【００１８】
さらに、本実施形態に係るファインダー系では、第一レンズ群１１の焦点距離ｆ１と接眼レンズ８の−１ディオプター時の焦点距離ｆは、次の条件式（１）を満たしている。
【００１９】
０．３  ＜  ｆ１／ｆ  ＜  １．０      （１）
この条件式（１）は、ファインダー系が高さ方向に大型化するのを防ぎつつ、表示体９の映像を広い視野角で拡大観察するための条件である。条件式（１）を下回ると、第一レンズ群１１の焦点距離が短すぎるため、表示体９とプリズム６の光学面６ａの間隔が狭すぎる。結果的に、光学部材１０での内部反射が１回のみで表示体９の位置を最適化することが出来ない。
【００２０】
一方、条件式（１）を上回ると、第一レンズ群の焦点距離が長すぎるため、表示体９とプリズム６の光学面６ａの間隔が長すぎる。結果的に表示体９が観察者から見て遠すぎるため、表示体９の映像を広い視野角で見ることが出来ない。
【００２１】
さらに、本実施形態に係るファインダー系では、表示体９の対角長をＬ１、観察面における表示体９の対角長をＬとすると、次の条件式（２）を満たしている。
【００２２】
１．２  ＜  （ｆ１／ｆ）×（Ｌ／Ｌ１）  ＜  １．５    （２）
この条件式（２）は、ファインダー系が高さ方向に大型化するのを防ぎつつ、表示体９の映像を広い視野角で拡大観察するための条件である。条件式（２）を下回ると、第一レンズ群１１の焦点距離が短すぎるため、表示体９とプリズム６の光学面６ａの間隔が狭すぎる。結果的に、光学部材１０での内部反射が１回のみで表示体９の位置を最適化することが出来ない。一方、条件式（２）を上回ると、第一レンズ群の焦点距離が長すぎるため、表示体９とプリズム６の光学面６ａの間隔が長すぎる。結果的に表示体９が観察者から見て遠すぎるため、表示体９の映像を広い視野角で見ることが出来ない。
【００２３】
さらに、本実施形態に係るファインダー系では、表示体９の法線と第一レンズ群１１の中心軸の成す角度をθとすると、次の条件式（３）を満たしている。
【００２４】
４０°  ＜  θ  ＜  ７５°    （３）
この条件式（３）は、ファインダー系が高さ方向に大型化するのを防ぐための条件である。この条件式（３）を下回ると、表示体９からの光線が光学面１０ａで全反射する条件を満たすことが出来ない。一方、条件式（３）を上回ると、表示体９から光学部材１０の入射面である光学面１０ａ（図２）までの距離が長過ぎるため、ファインダー系が大型化する。
【００２５】
さらに、本実施形態に係るファインダー系では、光学部材１０の光学面１０ｂ（図２）は回転非対称非球面にすることで、第一レンズ群１１のパワーを抑え、第一レンズ群１１を薄く出来る。また、表示光学系で発生する非点収差、および歪曲を抑えることが出来るため、回転非対称非球面が望ましい。
【００２６】
プリズム６における光学面６ｃ（第１の光学面）は、ハーフミラーまたはダイクロイックミラーを構成している。プリズム６における光学面６ｂ（第２の光学面）に関しては、ハーフミラーやダイクロイックミラーを構成しても良いが、以下のようにすることが好ましい。
【００２７】
即ち、プリズム６、７の間に１０μｍ~１００μｍ程度のエアギャップを構成し、光学面６ａからの光線を全反射させる一方、光学面６ｃから反射された光線は、臨界角より小さく光学面６ｂを透過するため、光線ロスを最小限に抑えることが出来る。その結果、光学ファインダーを明るく保ちつつ、図３（ａ）のように、赤い測距枠１４を重畳させて表示する場合も視認性が良い。また、図３（ｂ）のように各種メニュー表示１７を重畳させて表示することも可能である。
【００２８】
（数値実施例）
以下に、本発明の数値実施例を示す。なお、以下に示す値において、ωは視度が−１ディオプター（標準視度）時の見かけ視野（半画角）を示す。さらに、レンズデータを示す値において、「ｒｉ」は焦点面を基準に物体側からｉ番目の面の近軸曲率半径を示し、「ｄｉ」は物体側からｉ番目の面とｉ＋１番目の面との間の軸上面間隔を示す。
【００２９】
さらに、「Ｎｉ」は物体側からｉ番目の硝材のｄ線（波長＝５７８．６ｎｍ）に対する屈折率を示し、「νｉ」は物体側からｉ番目の硝材のｄ線に対するアッベ数を示す。なお、以下に示す値において、記載されている長さの単位は、特記の無い場合［ｍｍ］が使われている。ただし、光学系は、比例拡大または比例縮小しても同等の光学性能が得られるので、単位は［ｍｍ］に限定されることなく、他の適当な単位を用いることが出来る。なお、各数値実施例において近軸曲率半径の欄に回転対称非球面と書かれている面は次の数１式によって定義される回転対称非球面形状である。
【００３０】
【数１】
2016035525.tif 000003
【００３１】
なお、上式（数１式）において、xはレンズ面の頂点からの光軸方向の距離、hは光軸と垂直な方向の高さ、Rはレンズ面の頂点での近軸曲率半径、kは円錐定数、c2、c4、c6、c8、c10は多項式係数である。非球面係数を示す値において、「Ｅ−ｉ」は１０を底とする指数表現、すなわち「１０−ｉ」を表している。
【００３２】
さらに、各数値実施例において近軸曲率半径の欄に回転非対称非球面と書かれている面は次の数２式によって定義される回転非対称非球面形状である。
【００３３】
【数２】
2016035525.tif 000004
【００３４】
なお、数２式において、図５（ｂ）に記載のとおり、ｘは光軸Ｆｂと回転非対称非球面との交点から回転非対称非球面に垂直な方向の高さ、ｙは紙面に平行でかつｘ軸に垂直な方向の高さ、ｚは紙面に垂直な方向の高さを表している。また、c20、c02、c30、c12、…は多項式係数である。非球面係数を示す値において、「Ｅ−ｉ」は１０を底とする指数表現、すなわち「１０−ｉ」を表している。
【００３５】
（数値実施例１）
（接眼光学系  全体緒元）
画像表示面対角長Ｌ     ω
26.10          28.02°
（レンズデータ）
近軸曲率半径       軸上面間隔     屈折率(Nd)     アッベ数(νd)
r1 = ∞         d1  = 5.00          
r2 = ∞         d2 = 81.67       N2 = 1.66       ν2 = 50.88
r3 = ∞         d3  = 5.00       N3 = 1.66       ν3 = 50.88
r4 = ∞         d4  = 6.40       N4 = 1.66       ν4 = 50.88
r5 = ∞         d5  = 0.03          
r6 = ∞         d6  = 4.94       N6 = 1.66       ν6 = 50.88
r7 = ∞         d7  = 0.50          
r8 = 84.28      d8  = 1.00       N8 = 1.85       ν8 = 23.78
r9 = 34.13      d9  = 可変          
r10 = 30.26     d10 = 4.55       N10 = 1.80      ν10 = 46.58
r11 = -83.05    d11 = 可変              
r12 = 17.93     d12 = 4.22       N12 = 1.80      ν12 = 46.58
r13 = 61.45     d13 = 1.72          
r14 = 2249.95   d14 = 1.60       N14 = 1.80      ν14 = 34.97
r15 = 14.49     d15 = 24.00              
【００３６】
(可変間隔)
視度[ディオプタ-]     -1.00     -3.00     +1.00
d9              2.11      0.50      3.76
d11             2.10      3.71      0.45
（表示光学系  全体緒元）
画像表示面対角長Ｌ１     ω
12.29          29.02°
(レンズデータ)
近軸曲率半径             軸上面間隔      屈折率(Nd)     アッベ数(νd)
r1 = ∞                d1 = 1.20       N1 = 1.52       ν1 = 64.14
r2 = ∞                d2 = 0.22       N2 = 1.52       ν2 = 58.60
r3 = ∞                d3 = 1.84          
r4 = 回転対称非球面    d4 = 8.80       N4 = 1.57       ν4 = 34.00
r5 = ∞                d5 = 10.03      N5 = 1.57       ν5 = 34.00
r6 = 回転非対称非球面  d6 = 6.45       N6 = 1.57       ν6 = 34.00
r7 = ∞                d7 = 0.40          
r8 = ∞                d8 = 3.15       N8 = 1.85       ν8 = 40.39
r9 = 回転対称非球面    d9 = 0.40          
r10 = ∞               d10 = 20.91     N10 = 1.66      ν10 = 50.88
r11 = ∞               d11 = 0.03          
r12 = ∞               d12 = 4.94      N12 = 1.66      ν12 = 50.88
r13 = ∞               d13 = 0.50          
r14 = 84.28            d14 = 1.00      N14 = 1.85      ν14 = 23.78
r15 = 34.13            d15 = 可変          
r16 = 30.26            d16 = 4.55      N16 = 1.80      ν16 = 46.58
r17 = -83.05           d17 = 可変              
r18 = 17.93            d18 = 4.22      N18 = 1.80       ν18 = 46.58
r19 = 61.45            d19 = 1.72          
r20 = 2249.95          d20 = 1.60      N20 = 1.80       ν20 = 34.97
r21 = 14.49            d21 = 24.00              
【００３７】
(非球面係数)
R          k       c2        c4          c6         c8          c10
r4  106.50   -9.15     0.00     1.25E-04   -5.55E-06    0.00        0.00
r9 -28.05   -6.20     0.00    -3.07E-05    6.52E-08    1.59E-10   -5.42E-13
c20         c02
r6  -1.11E-03   -1.37E-03
c30         c12
r6  -1.59E-05   -4.34E-05
c40         c22         c04
r6   1.55E-06    1.18E-06    3.50E-06
c50         c32         c14
r6   6.29E-09    1.91E-08    9.49E-08
c60         c42         c24         c06
r6   3.96E-09    6.09E-08    1.96E-08    -1.50E-08
c70         c52         c34         c16
r6   1.70E-09    7.60E-09    9.30E-09     2.60E-09
c80         c62         c44          c26          c08
r6   2.54E-10    3.45E-10    2.29E-09     8.49E-10     6.86E-10
c90         c72         c54          c36          c18
r6  -3.05E-12   -4.07E-11   -4.88E-12    -8.18E-11     8.16E-12
c100        c82         c64          c46          c28          c010
r6  -1.00E-12   -2.65E-12   -8.72E-12    -1.74E-11    -2.15E-12    -3.92E-12
(可変間隔)
視度[ディオプタ-]  -1.00     -3.00       +1.00
d15            2.11       0.50         3.76
d17            2.10       3.71         0.45
(条件式)
条件式                        値
ｆ１／ｆ                     0.61
（ｆ１／ｆ）×（Ｌ／Ｌ１）    1.34
θ                        50°
【００３８】
《第２の実施形態》
図６は、本発明の数値実施例２に係るファインダー光学系の構成を示す断面図である。また、図７は本実施形態に係る表示光学系の光軸に平行な断面図であり、図８はファインダー光学系のミラーアップ時の構成を示す断面図である。また、図９は観察光学系および表示光学系の光軸に沿った展開図である。
【００３９】
（数値実施例２）
(接眼光学系  全体緒元)
画像表示面対角長Ｌ     ω
26.10          28.02°
(レンズデータ)
近軸曲率半径     軸上面間隔     屈折率(Nd)     アッベ数(νd)
r1 = ∞        d1  = 5.00          
r2 = ∞        d2 = 81.67       N2 = 1.66       ν2 = 50.88
r3 = ∞        d3  = 5.00       N3 = 1.66       ν3 = 50.88
r4 = ∞        d4  = 6.40       N4 = 1.66       ν4 = 50.88
r5 = ∞        d5  = 0.03          
r6 = ∞        d6  = 4.94       N6 = 1.66       ν6 = 50.88
r7 = ∞        d7  = 0.50          
r8 = 84.28     d8  = 1.00       N8 = 1.85       ν8 = 23.78
r9 = 34.13     d9  = 可変          
r10 = 30.26    d10 = 4.55       N10 = 1.80      ν10 = 46.58
r11 = -83.05   d11 = 可変              
r12 = 17.93    d12 = 4.22       N12 = 1.80      ν12 = 46.58
r13 = 61.45    d13 = 1.72          
r14 = 2249.95  d14 = 1.60       N14 = 1.80      ν14 = 34.97
r15 = 14.49    d15 = 24.00              
【００４０】
(可変間隔)
視度[ディオプタ-]     -1.00     -3.00     +1.00
d9              2.11      0.50      3.76
d11             2.10      3.71      0.45
(表示光学系  全体緒元)
画像表示面対角長Ｌ１     ω
12.29         28.61°
【００４１】
(レンズデータ)
近軸曲率半径     軸上面間隔     屈折率(Nd)     アッベ数(νd)
r1 = ∞                d1 = 1.20       N1 = 1.52       ν1 = 64.14
r2 = ∞                d2 = 0.22       N2 = 1.52       ν2 = 58.60
r3 = ∞                d3 = 1.84          
r4 = 回転対称非球面    d4 = 8.80       N4 = 1.57       ν4 = 34.00
r5 = ∞                d5 = 10.03      N5 = 1.57       ν5 = 34.00
r6 = 回転非対称非球面  d6 = 6.45       N6 = 1.57       ν6 = 34.00
r7 = ∞                d7 = 0.40          
r8 = ∞                d8 = 0.50       N8 = 1.85       ν8 = 23.78
r9 = 79.82             d9 = 3.90       N9 = 1.85       ν9 = 40.39
r10 = 回転対称非球面   d10 = 0.40          
r11 = ∞               d11 = 20.91     N11 = 1.66      ν11 = 50.88
r12 = ∞               d12 = 0.03          
r13 = ∞               d13 = 4.94      N13 = 1.66      ν13 = 50.88
r14 = ∞               d14 = 0.50          
r15 = 84.28            d15 = 1.00      N15 = 1.85      ν15 = 23.78
r16 = 34.13            d16 = 可変          
r17 = 30.26            d17 = 4.55      N17 = 1.80      ν17 = 46.58
r18 = -83.05           d18 = 可変              
r19 = 17.93            d19 = 4.22       N19 = 1.80      ν19 = 46.58
r20 = 61.45            d20 = 1.72          
r21 = 2249.95          d21 = 1.60       N21 = 1.80      ν21 = 34.97
r22 = 14.49            d22 = 24.00              
【００４２】
(非球面係数)
R         k       c2       c4         c6          c8         c10
r4     58.70    -9.22    0.00   -1.28E-04   -2.19E-06    0.00       0.00
r10   -29.13    -6.05    0.00   -2.50E-05    5.71E-08    1.38E-10  -7.99E-13
c20          c02
r6  -1.22E-03    -1.50E-03
c30          c12
r6  -1.69E-05    -4.76E-05
c40          c22         c04
r6   3.51E-06     6.23E-06     6.25E-06
c50          c32         c14
r6   6.82E-08     2.80E-07     3.16E-07
c60          c42         c24        c06
r6   5.93E-09     5.09E-08     2.72E-08  -1.14E-08
c70          c52         c34        c16
r6   1.63E-09     5.34E-09     7.00E-09  -4.32E-10
c80          c62         c44        c26       c08
r6   1.67E-10     6.95E-11     2.20E-09  -2.16E-10    4.94E-10
c90          c72         c54        c36       c18
r6  -6.64E-12    -4.54E-11    -1.04E-11  -9.09E-11    2.46E-11
c100         c82         c64        c46         c28         c010
r6  -9.60E-13    -2.12E-12    -1.18E-11   1.60E-11    3.19E-12    3.35E-12
(可変間隔)
視度[ディオプタ-]     -1.00     -3.00     +1.00
d15                 2.11      0.50      3.76
d17                 2.10      3.71      0.45
(条件式)
条件式                         値
ｆ１／ｆ                   0.63
（ｆ１／ｆ）×（Ｌ／Ｌ１）  1.39
θ                      50°
【００４３】
《第３の実施形態》
図１０は、本発明の数値実施例３に係るファインダー光学系の構成を示す断面図である。また、図１１は本実施形態に係る表示光学系の光軸に平行な断面図であり、図１２はファインダー光学系のミラーアップ時の構成を示す断面図である。また、図１３は観察光学系および表示光学系の光軸に沿った展開図である。
【００４４】
（数値実施例３）
(接眼光学系  全体緒元)
画像表示面対角長Ｌ      ω
42.23           33.17°
(レンズデータ)
近軸曲率半径     軸上面間隔     屈折率(Nd)     アッベ数(νd)
r1 = ∞               d1 = 7.82              
r2 = ∞               d2 = 93.23      N2 = 1.66       ν2 = 50.88
r3 = ∞               d3 = 5.00       N3 = 1.66       ν3 = 50.88
r4 = ∞               d4 = 6.33       N4 = 1.66       ν4 = 50.88
r5 = ∞               d5 = 0.03          
r6 = ∞               d6 = 4.64       N6 = 1.66       ν6 = 50.88
r7 = ∞               d7 = 0.97          
r8 = -1779.62         d8 = 1.30       N8 = 1.85       ν8 = 23.78
r9 = 39.84            d9 = 可変          
r10 = 回転対称非球面  d10 = 5.39      N10 = 1.69      ν10 = 53.20
r11 = -69.26          d11 = 可変              
r12 = 23.36           d12 = 3.73      N12 = 1.80      ν12 = 46.58
r13 = 15.04           d13 = 21.00              
【００４５】
(非球面係数)
R            k           c2        c4           c6          c8     
r10    20.03       -1.22        0.00     -5.58E-07    -3.33E-09     4.53E-12
(可変間隔)
視度[ディオプタ-]     -1.00     -3.00     +1.00
d9                  2.49      0.80      4.41
d11                 2.42      4.11      0.50
(表示光学系  全体緒元)
画像表示面対角長Ｌ１     ω
12.29          26.60°
【００４６】
(レンズデータ)
近軸曲率半径     軸上面間隔     屈折率(Nd)     アッベ数(νd)
r1 = ∞                d1 = 1.20       N1 = 1.52       ν1 = 64.14
r2 = ∞                d2 = 0.22       N2 = 1.52       ν2 = 58.60
r3 = ∞                d3 = 2.21          
r4 = 回転対称非球面    d4 = 8.80       N4 = 1.57       ν4 = 34.00
r5 = ∞                d5 = 9.50       N5 = 1.57       ν5 = 34.00
r6 = 回転非対称非球面  d6 = 6.10       N6 = 1.57       ν6 = 34.00
r7 = ∞                d7 = 0.40          
r8 = ∞                d8 = 3.10       N8 = 1.85       ν8 = 40.39
r9 = 回転対称非球面    d9 = 0.40          
r10 = ∞               d10 = 21.31     N10 = 1.66      ν10 = 50.88
r11 = ∞               d11 = 0.03          
r12 = ∞               d12 = 4.64      N12 = 1.66      ν12 = 50.88
r13 = ∞               d13 = 0.97          
r14 = -1779.62         d14 = 1.30      N14 = 1.85      ν14 = 23.78
r15 = 39.84           d15 = 可変          
r16 = 回転対称非球面  d16 = 5.39       N16 = 1.69      ν16 = 53.20
r17 = -69.26          d17 = 可変              
r18 = 23.36           d18 = 3.73       N18 = 1.80      ν18 = 46.58
r19 = 15.04           d19 = 21.00              
【００４７】
(非球面係数)
R          k       c2       c4         c6         c8         c10
r4   642.46   -1.04E+01 0.00   -6.50E-05   -2.46E-06    0.00       0.00
r9   -27.48   -6.77     0.00   -3.54E-05    1.09E-07   -8.80E-11  -4.54E-13
r16    20.03   -1.22     0.00   -5.58E-07   -3.33E-09   -4.53E-12   0.00
c20         c02
r6   -5.99E-05    -7.04E-05
c30         c12
r6   -2.12E-07     1.72E-07
c40         c22           c04
r6    2.78E-06     3.75E-06     4.25E-06
c50         c32           c14
r6    6.09E-08    -6.06E-09     8.07E-08
c60         c42           c24          c06
r6    7.73E-10     3.77E-08     3.06E-08   -9.31E-09
c70         c52           c34          c16
r6    6.18E-10     4.66E-09    -5.76E-10   -9.31E-09
c80         c62           c44          c26        c08
r6    1.34E-10     2.79E-10    -4.64E-10    1.32E-09    4.73E-10
c90         c72           c54          c36        c18
r6  -1.21E-12    -7.69E-12    -1.12E-10    1.46E-10   -1.44E-10
c100         c82          c64          c46         c28         c010
r6  -6.42E-13    -1.89E-12    -5.99E-12    9.38E-12   -2.13E-11    3.83E-12
(可変間隔)
視度[ディオプタ-]     -1.00     -3.00     +1.00
d15                 2.49      0.80      4.41
d17                 2.42      4.11      0.50
(条件式)
条件式     値
ｆ１／ｆ                      0.43
（ｆ１／ｆ）×（Ｌ／Ｌ１）     1.46
θ                          50°
【００４８】
《第４の実施形態》
図１４は、本発明の数値実施例４に係るファインダー光学系の構成を示す断面図である。また、図１５はファインダー光学系のミラーアップ時の構成を示す断面図であり、図１６は観察光学系および表示光学系の光軸に沿った展開図である。
【００４９】
（数値実施例４）
(接眼光学系  全体緒元)
画像表示面対角長Ｌ     ω
42.23          33.17°
(レンズデータ)
近軸曲率半径            軸上面間隔     屈折率(Nd)      アッベ数(νd)
r1 = ∞               d1 = 7.82              
r2 = ∞               d2 = 93.23      N2 = 1.66       ν2 = 50.88
r3 = ∞               d3 = 5.00       N3 = 1.66       ν3 = 50.88
r4 = ∞               d4 = 6.33       N4 = 1.66       ν4 = 50.88
r5 = ∞               d5 = 0.03          
r6 = ∞               d6 = 4.64       N6 = 1.66       ν6 = 50.88
r7 = ∞               d7 = 0.97          
r8 = -1779.62         d8 = 1.30       N8 = 1.85       ν8 = 23.78
r9 = 39.84            d9 = 可変          
r10 = 回転対称非球面  d10 = 5.39      N10 = 1.69      ν10 = 53.20
r11 = -69.26          d11 = 可変              
r12 = 23.36           d12 = 3.73      N12 = 1.80      ν12 = 46.58
r13 = 15.04           d13 = 21.00              
【００５０】
(非球面係数)
R          k         c2        c4           c6            c8
r10     20.03     -1.22       0.00     -5.58E-07    -3.33E-09     -4.53E-12
(可変間隔)
視度[ディオプタ-]     -1.00     -3.00     +1.00
d9                  2.49      0.80      4.41
d11                 2.42      4.11      0.50
(表示光学系  全体緒元)
画像表示面対角長Ｌ１     ω
13.22           27.96°
【００５１】
(レンズデータ)
近軸曲率半径     軸上面間隔     屈折率(Nd)     アッベ数(νd)
r1 = ∞                d1 = 1.20       N1 = 1.52       ν1 = 64.14
r2 = ∞                d2 = 0.22       N2 = 1.52       ν2 = 58.60
r3 = ∞                d3 = 2.51          
r4 = 回転対称非球面    d4 = 6.80       N4 = 1.57       ν4 = 34.00
r5 = ∞                d5 = 10.69      N5 = 1.57       ν5 = 34.00
r6 = 回転非対称非球面  d6 = 6.87       N6 = 1.57       ν6 = 34.00
r7 = ∞                d7 = 0.40          
r8 = ∞                d8 = 3.10       N8 = 1.85       ν8 = 40.39
r9 = 回転対称非球面    d9 = 0.40          
r10 = ∞               d10 = 21.31     N10 = 1.66      ν10 = 50.88
r11 = ∞               d11 = 0.03          
r12 = ∞               d12 = 4.64      N12 = 1.66      ν12 = 50.88
r13 = ∞               d13 = 0.97          
r14 = -1779.62         d14 = 1.30      N14 = 1.85      ν14 = 23.78
r15 = 39.84            d15 = 可変          
r16 = 回転対称非球面   d16 = 5.39      N16 = 1.69      ν16 = 53.20
r17 = -69.26           d17 = 可変              
r18 = 23.36            d18 = 3.73       N18 = 1.80     ν18 = 46.58
r19 = 15.04            d19 = 21.00              
【００５２】
(非球面係数)
R     k     c2     c4     c6     c8     c10
r4  -274.66  -1.07E+01  0.00   -1.08E-04   -1.07E-06    0.00      0.00
r9   -27.62   6.78      0.00   -3.45E-05    1.04E-07   -2.13E-10  1.37E-13
r16   20.03  -1.22      0.00   -5.58E-07   -3.33E-09   -4.53E-12  0.00
c20          c02
r6  -2.17E-04    -2.68E-04
c30          c12
r6  -4.32E-06    -1.03E-05
c40          c22         c04
r6   3.09E-06     5.84E-06    5.02E-06
c50          c32         c14
r6   1.13E-07     1.93E-07    1.12E-07
c60          c42         c24         c06
r6   1.32E-08     1.66E-08    2.57E-08   -1.80E-09
c70          c52         c34         c16
r6   5.28E-10     3.82E-09   -1.01E-10    4.27E-09
c80          c62         c44         c26          c08
r6  -9.47E-11    -1.08E-10   -6.49E-10   -2.14E-11     4.87E-11
c90          c72          c54        c36          c18
r6  -1.12E-11    -4.79E-11    5.06E-11    8.43E-11    -4.05E-11
c100         c82          c64        c46          c28         c010
r6  -1.57E-12    -8.58E-13    1.91E-12    1.10E-11    -3.15E-12    -3.15E-13
(可変間隔)
視度[ディオプタ-]     -1.00     -3.00     +1.00
d15                 2.49      0.80      4.41
d17                 2.42      4.11      0.50
(条件式)
条件式                             値
ｆ１／ｆ                          0.43
（ｆ１／ｆ）×（Ｌ／Ｌ１）         1.36
θ                             50°
【００５３】
（変形例）
以上、本発明の好ましい実施形態について説明したが、本発明はこれらの実施形態に限定されず、その要旨の範囲内で種々の変形及び変更が可能である。
【符号の説明】
【００５４】
１・・撮影レンズ（対物レンズ）、４・・正立像形成部材、６・・プリズム、６ｂ・・第２の光学面、６ｃ・・第１の光学面、８・・接眼レンズ（接眼光学系）、９・・表示体、１０・・光学部材、１１・・第一レンズ群、Ｆａ・・観察光学系の光軸
【図１】
2016035525.tif 000005
【図２】
2016035525.tif 000006
【図３】
2016035525.tif 000007
【図４】
2016035525.tif 000008
【図５】
2016035525.tif 000009
【図６】
2016035525.tif 000010
【図７】
2016035525.tif 000011
【図８】
2016035525.tif 000012
【図９】
2016035525.tif 000013
【図１０】
2016035525.tif 000014
【図１１】
2016035525.tif 000015
【図１２】
2016035525.tif 000016
【図１３】
2016035525.tif 000017
【図１４】
2016035525.tif 000018
【図１５】
2016035525.tif 000019
【図１６】
2016035525.tif 000020